(57)【要約】【課題】参照画像の転送が遅滞するのを防止し、さらに、操作性を向上させることが可能な検査データの保管管理装置、後発検査機器、および、検査データの管理システムを提供する。【解決手段】実施形態の検査データの保管管理装置は、記憶部と、管理部とを有する。記憶部は、患者に対する先発検査で撮影されて得られた画像を含む検査データを予め記憶する。管理部は、前記検査データに基づいた要後発検査の指示を受けて、後発検査に用いられる後発検査機器の識別情報と前記検査データとが関連づけられたことを示す関連情報を前記記憶部に記憶させる。さらに、前記管理部は、前記後発検査機器から前記検査データの送信要求を受けたとき、前記関連情報を参照して前記検査データを検索し、検索した結果を前記後発検査機器に送信する。【選択図】図２
2015170074.tif 000002
【特許請求の範囲】
【請求項１】
患者に対する先発検査で撮影されて得られた画像を含む検査データを予め記憶する記憶部と、
前記検査データに基づいた要後発検査の指示を受けて、後発検査に用いられる後発検査機器の識別情報と前記検査データとが関連づけられたことを示す関連情報を前記記憶部に記憶させる管理部と、
を有し、
前記管理部は、前記後発検査機器から前記検査データの送信要求を受けたとき、前記関連情報を参照して前記検査データを検索し、検索した結果を前記後発検査機器に送信することを特徴とする検査データの保管管理装置。
【請求項２】
前記管理部は、前記関連情報としての識別情報を前記検査データに付して記憶させることを特徴とする請求項１に記載の検査データの保管管理装置。
【請求項３】
前記管理部は、前記後発検査機器の識別情報における前記検査データをリスト構造したものを前記関連情報として記憶させることを特徴とする請求項１に記載の検査データの保管管理装置。
【請求項４】
前記管理部は、前記記憶部の使用状況を示す使用状況情報を管理する管理テーブルと、前記管理テーブルに管理された前記使用状況情報に基づいて、前記記憶部が使用可能かどうかを判断する判定部と、を有し、
前記管理部は、前記判定部により前記記憶部が使用可能であると判断されたとき、前記検査データを検索するように構成されることを特徴とする請求項１から３のいずれかに記載の検査データの保管管理装置。
【請求項５】
患者に対する先発検査で撮影されて得られた画像を含む検査データを予め記憶する記憶部と、前記検査データに基づいた要後発検査の指示を受けて、後発検査に用いられる後発検査機器の識別情報と前記検査データとが関連づけられたことを示す関連情報を前記記憶部に記憶させる管理部と、にネットワークを介して接続された後発検査機器であって、
前記管理部に前記検査データの送信要求をすることにより、前記記憶部から前記関連情報に基づいて自己が後発検査機器として関連づけられた前記検査データが送信されるように構成されることを特徴とする後発検査機器。
【請求項６】
前記後発検査機器は、前記患者が前記後発検査機器に近づいたかどうかを検出する検知手段を有し、前記検知手段により前記患者が前記後発検査機器に近づいたことが検知されたとき、前記管理部に前記検査データの送信要求をすることを特徴とする請求項５に記載の後発検査機器。
【請求項７】
患者に対する先発検査で撮影されて得られた画像を含む検査データを予め記憶する記憶部と、
前記記憶部を管理する管理部と、
前記患者に対する後発検査に用いられる後発検査機器と、
前記後発検査機器の予約を示す予約検査情報を作成する検査予約部と、
を備え、これらがネットワークで接続された検査データの管理システムにおいて、
前記管理部は、前記検査データに基づいた要後発検査の指示を受けて、前記予約検査情報の作成を前記検査予約部に要求し、さらに、前記後発検査機器の識別情報と前記検査データとが関連づけられたことを示す関連情報を前記後発検査機器に知らせ、さらに、前記関連情報を前記記憶部に記憶させ、
前記後発検査機器は、前記関連情報を参照した前記検査データの検索要求を前記管理部に送信することを特徴とする検査データの管理システム。
【発明の詳細な説明】
【技術分野】
【０００１】
本発明の実施形態は、検査データの保管管理装置、後発検査機器、および、検査データの管理システムに関する。
【背景技術】
【０００２】
現在の一般的な医療施設において、様々な画像診断装置や治療装置が相互にネットワークで接続されており、それらの装置は、予防、診断、治療、臨床の場面で適切に使い分けられ、また、併用される。
【０００３】
例えば、乳房診断の定期検診に、マンモグラフィ（「ＭＭＧ」ともいう。）により撮影されて得られた医用画像が使われる。医用画像は、患者ＩＤ、検査ＩＤ、装置ＩＤ、画像ＩＤが付され、検査データの保管管理装置に記憶される。画像ＩＤには、アドレス情報が対応づけられる（例えば、特許文献１）。なお、検査ＩＤ、装置ＩＤ、画像ＩＤ、アドレス情報を付帯情報という場合がある。さらに、検査データの保管管理装置をＰＡＣＳという場合がある。
【０００４】
医師（主治医および／または読影医）による操作を受けて、読影装置は、マンモグラフィにより撮影されて得られた医用画像をＰＡＣＳから取得し、表示する。医師は、医用画像を参照して読影する。読影結果でより精密検査が必要とされたとき、医師による要精検検査の指示を受けて、読影装置は、院内情報管理システム／放射線情報管理システム（以下、院内情報管理システム等という。）に、超音波診断装置の予約を示す予約検査情報の作成を要求する。院内情報管理システム等は、予約検査情報を超音波診断装置に送る。精密検査では、マンモグラフィにより撮影されて得られた医用画像が参照される。
【０００５】
ここで、マンモグラフィなどの先発検査に用いられる機器を「先発検査機器」、超音波診断装置などの後発検査に用いられる機器を「後発検査機器」という場合がある。また、院内情報管理システム等をＨＩＳ／ＲＩＳという場合がある。
【０００６】
さらに、例えば、診断時にＸ線ＣＴ装置により撮影されて得られたＣＴ画像と治療時透視中に超音波診断装置により撮影されて得られた超音波画像とが同時に表示される。このとき、Ｘ線ＣＴ装置が「先発検査機器」となり、超音波診断装置が「後発検査機器」となる。これらの医用画像も、付帯情報（患者ＩＤ、検査ＩＤ、装置ＩＤ、画像ＩＤ、アドレス情報）が付され、検査データの保管管理装置（ＰＡＣＳ）に記憶される。
【０００７】
以上のように、先発検査機器により撮影されて得られた医用画像は、後発検査において参照及び／または表示される。なお、先発検査機器により撮影されて得られた医用画像であって、後発検査において実際に参照及び／または表示され、また、その対象となる画像を「参照画像」という場合がある。さらに、検査データというときは、単に「参照画像」を示す場合と、「参照画像および付帯情報」を示す場合とがある。
【先行技術文献】
【特許文献】
【０００８】
【特許文献１】特開平５−１０８７３３号公報
【発明の概要】
【発明が解決しようとする課題】
【０００９】
図１は、比較例に係る検査データの管理システムのタイミングチャートである。図１に示すように、先発検査機器（ここでは、ＭＭＧ）により医用画像が撮影される。医用画像は、患者ＩＤ、検査ＩＤ、装置ＩＤ、画像ＩＤが付帯され、検査データの保管管理装置（ＰＡＣＳ）に送られる（図１に示す「検査データ検索要求」、「検査データ検索応答」、「検査データ受信要求」、「検査データ受信応答」）。医用画像は検査データの保管管理装置（ＰＡＣＳ）に記憶される。
【００１０】
次に、医師による操作を受けて読影装置は、検査データの保管管理装置（ＰＡＣＳ）から医用画像を取得する。医師は、取得した医用画像を読影し、後発検査（精密検査）が必要かどうかを判断する（図１に示す「精検判断」）。ここで、読影時においてＰＡＣＳから取得した医用画像は、後発検査においても参照される参照画像となる。次に、医師は、後発検査が必要なとき、院内情報管理システム等（ＨＩＳ／ＲＩＳ）に予約検査情報の作成を要求する。院内情報管理システム等は、予約検査情報を作成する（図１に示す「要精検予約検査作成」）。
【００１１】
操作者による定期的（例えば、始業時）な操作を受けて、後発検査機器（ここでは、超音波診断装置）は院内情報管理システム等に予約検査情報の有無を問い合わせる（図１に示す「予約検査情報要求」、「予約検査情報応答」）。予約検査情報があるとき、操作者は、ＤＩＣＯＭ機能の一つである検索、受信を使い、操作者による患者ＩＤ、検査ＩＤ、および装置ＩＤの複数の検索キーの入力を受けて、後発検査機器はＰＡＣＳに画像ＩＤの検索を要求する。次に、操作者の操作を受けて、後発検査機器は、画像ＩＤに対応づけられたアドレス情報を基に、参照画像の送信を検査データの保管管理装置（ＰＡＣＳ）に要求する（図１に示す「検査データ検索要求」、「検査データ検索応答」、「検査データ受信要求」、「検査データ受信応答」）。それにより、後発検査において参照される参照画像が取得される。参照画像が取得された後、後発検査が開始される（図１に示す「検査開始通知」）。
【００１２】
現在主流の１０００ＢＡＳＥ−Ｔ  Ｅｔｈｅｒｎｅｔ（登録商標）通信では、１検査の検索結果表示に約０．２〜０．３秒、参照画像（静止画像）１枚の転送に約１秒かかる。仮に、後発検査機器からＰＡＣＳに対し、２０検査、各検査１００枚の参照画像から１検査を検索・受信すると、２０検査の検索結果表示に４〜６秒、１００枚の参照画像の転送に１００（＝１００＊１）秒、合計で１０４〜１０６秒（約２分弱）かかる。
【００１３】
しかし、後発検査において参照される参照画像の検索要求が例えば始業時に集中し、ＰＡＣＳの処理能力が不足すると、参照画像の転送が遅滞し、後発検査の開始を遅らせる場合があるという問題点があった。
【００１４】
また、参照画像を特定するために、複数の検索キー（患者ＩＤ、検査ＩＤ、および、装置ＩＤ）を入力する必要があり、操作性を向上させる上で支障になるという問題点があった。
【００１５】
この実施形態は、上記の問題を解決するものであり、参照画像の転送が遅滞するのを防止し、さらに、操作性を向上させることが可能な検査データの保管管理装置、後発検査機器、および、検査データの管理システムを提供することを目的とする。
【課題を解決するための手段】
【００１６】
上記課題を解決するために、実施形態の検査データの保管管理装置は、記憶部と、管理部とを有する。記憶部は、患者に対する先発検査で撮影されて得られた画像を含む検査データを予め記憶する。管理部は、前記検査データに基づいた要後発検査の指示を受けて、後発検査に用いられる後発検査機器の識別情報と前記検査データとが関連づけられたことを示す関連情報を前記記憶部に記憶させる。さらに、前記管理部は、前記後発検査機器から前記検査データの送信要求を受けたとき、前記関連情報を参照して前記検査データを検索し、検索した結果を前記後発検査機器に送信する。
【図面の簡単な説明】
【００１７】
【図１】比較例に係る検査データの管理システムのタイミングチャート。
【図２】第１実施形態に係る検査データの管理システムの構成ブロック図。
【図３】検査データの管理システムのタイミングチャート。
【図４】検査データのデータ構造を示す図。
【図５】第２実施形態に係る検査データの管理システムのタイミングチャート。
【図６】第３実施形態に係る検査データの管理システムのタイミングチャート。
【図７】参照画像のアドレス情報のリスト構造を示す図。
【図８】検査データのデータ構造を示す図。
【発明を実施するための形態】
【００１８】
読影のためにＰＡＣＳから取得した医用画像（先発検査機器により撮影されて得られた医用画像）は、読影後に要後発検査の指示があったとき、後発検査において参照される参照画像となる。
【００１９】
この参照画像を特定するときの操作性を向上させるためには、後発検査に用いられる後発検査機器の識別情報と参照画像とを関連づければよい。それにより、識別情報を検索キーとして、ＰＡＣＳに記憶された医用画像から参照画像を抽出することが可能となる。
【００２０】
先発検査機器により撮影され、ＰＡＣＳに記憶された医用画像が参照画像となるかどうは、読影後において要後発検査の指示があるかどうかで決定されるため、関連づけのタイミングは、要後発検査の指示があった後となる。
【００２１】
関連づけの手段の一例としては、検査データの保管管理装置（ＰＡＣＳ）に記憶された医用画像に識別情報を付せばよい。識別情報が付された医用画像が参照画像となる。すなわち、要後発検査の指示を受けて、後発検査機器の識別情報と参照画像とを関連づければよい。
【００２２】
参照画像の検索要求を集中させず、参照画像の転送が遅滞するのを防止するためには、予約検査情報の問い合わせ前に、参照画像の検索要求をすればよく、また、予約検査情報の問い合わせを定期的に行うのでなく、必要に応じて行えばよい。
【００２３】
＜第１実施形態＞
検査データの管理システムの第１実施形態について各図を参照して説明する。
先ず、検査データの管理システムの基本的な構成について図２および図３を参照して簡単に説明する。図２は、検査データの管理システムの構成ブロック図である。
【００２４】
図２に示すように、ネットワークには、先発検査機器１０、検査データの保管管理装置（ＰＡＣＳ）２０、読影装置３０、院内情報管理システム等（ＨＩＳ／ＲＩＳ）４０、および、後発検査機器５０が接続される。ここでは、先発検査機器１０の一例としてマンモグラフィ（ＭＭＧ）が相当する。また、後発検査機器５０の一例として、超音波診断装置が相当する。なお、この実施形態では、１つの先発検査機器１０について説明するが、２つ以上の先発検査機器１０、例えば、マンモグラフィおよび胸部Ｘ線装置があってもよい。このとき、マンモグラフィおよび胸部Ｘ線装置により撮影されて得られた医用画像が、後発検査で参照される参照画像となり得ることはいうまでもない。
【００２５】
先発検査機器１０／後発検査機器５０としては、ネットワークに接続されたモダリティであれば、医療施設内外のいずれに設備されているかを問わず、例えば、医療施設外の検診車であってもよい。
【００２６】
検査データの保管管理装置（ＰＡＣＳ）２０は、記憶部２１、管理部２２、表示部（図示しない）、および、通信手段（図示しない）を有する。
【００２７】
検査データの管理システムの一連の動作について図３を参照して説明する。図３は、検査データの管理システムのタイミングチャートである。
【００２８】
（先発検査開始〜先発検査終了）
先発検査機器１０は、患者に対する先発検査で撮影されて得られた検査データを検査データの保管管理装置２０に送信する（図３に示す「検査データ送信要求」、「検査データ送信応答」）。
【００２９】
記憶部２１は、患者に対する先発検査で撮影されて得られた検査データを予め記憶する。ここでの「検査データ」は、先発検査機器１０により撮影されて得られた医用画像、および、付帯情報（患者ＩＤ、検査ＩＤ、装置ＩＤ、画像ＩＤ、医用画像のアドレス情報）を含む。
【００３０】
図４は検査データのデータ構造を示す図である。図４に示すように、記憶部２１には、後発検査機器５０の識別情報と検査データとが関連づけられて記憶される。ここでの「検査データ」は、医用画像であり、図４では「画像ＩＤ」がそれに相当する。
記憶部２１に後発検査機器５０の識別情報と検査データとが関連づけられて記憶されるのは、後述する要後発検査の指示を検査データの保管管理装置（ＰＡＣＳ）２０が受信したときに行われる。
【００３１】
（読影〜精検是非の判断）
次に、読影について説明する。
先発検査に係る患者ＩＤ、検査ＩＤ、および、装置ＩＤの情報を読影医が取得する。
読影医による操作を受けて、読影装置３０は、患者ＩＤ、検査ＩＤ、装置ＩＤを検索キーとして、検査データの保管管理装置（ＰＡＣＳ）２０から医用画像を抽出し、表示部（図示しない）に表示させる。
【００３２】
読影医による入力を受けて、読影装置３０は、読影レポート（読影結果）を作成する。読影装置３０は、読影レポートを検査データの保管管理装置（ＰＡＣＳ）２０に送信する。送信された読影レポートは、記憶部２１に記憶される。
【００３３】
医師（主治医および／または読影医）は、医用画像および読影レポートに基づき、要後発検査の指示をするかどうかを決定する。読影装置３０は、要後発検査の指示を検査データの保管管理装置（ＰＡＣＳ）２０に送信する。このとき、記憶部２１に後発検査機器５０の識別情報と検査データとが関連づけられて記憶されるのは前述した通りである。
【００３４】
図４に示すように、読影時において、読影医により、例えば、患者ＩＤ“０００１”、検査ＩＤ“ＭＭ２０”、装置ＩＤ“１”を検索キーとした入力を受けて、読影装置３０は、画像ＩＤ“１、２、…”を抽出する。さらに、読影装置３０は、抽出された画像ＩＤに対応づけられたアドレス情報を参照して、例えば患者Ａに対する先発検査で撮影されて得られた医用画像を記憶部２１から抽出する。抽出された医用画像が読影に寄与する。なお、読影後に要後発検査の指示があった場合、記憶部２１から読み出された医用画像は、後発検査の参照画像となる。
【００３５】
また、読影医により、例えば、患者ＩＤ“０００２”、検査ＩＤ“ＭＭ３０”、装置ＩＤ“１”を検索キーとした入力を受けて、読影装置３０は、画像ＩＤ“１、２、…”を抽出する。さらに、読影装置３０は、抽出された画像ＩＤに対応づけられたアドレス情報を参照して、例えば患者Ｂに対する先発検査で撮影されて得られた医用画像を記憶部２１から抽出する。抽出された医用画像が読影に寄与する。なお、読影後に要後発検査の指示があった場合、記憶部２１から読み出された医用画像は、後発検査の参照画像となる。
【００３６】
（参照画像の関連づけ）
図４を参照して説明したように、読影後に要後発検査の指示があったその読影時に記憶部２１から読み出された医用画像（参照画像）と、後発検査機器５０の識別情報とが関連づけられる。それにより、後発検査機器５０の識別情報を検索キーとして、参照画像を容易に特定することができる。そのため、後発検査時の操作性を向上させることができる。
【００３７】
管理部２２は、要後発検査の指示を受けて、参照画像と後発検査機器の識別情報とが関連づけられたことを示す関連情報を、記憶部２１に記憶させる。管理部２２は、入力部（図示しない）による操作を受けて、関連情報としての識別情報を参照画像（ここでは、図４に示す「画像ＩＤ」）に付して記憶部２１に記憶させる（図３に示す「データ識別子＋精検是非フラグづけ」）。また、参照画像に付された識別情報を、図２に「（ｉｘ）参照画像識別情報」として示す。
【００３８】
図４に、患者ＩＤ“０００１”、検査ＩＤ“ＭＭ２０”、装置ＩＤ“１”、患者Ａに対する先発検査で撮影されて得られた医用画像の画像ＩＤ“１、２、…”と関連づけられて記憶された識別情報を“ＡＡ０１”で示す。また、図４に、患者ＩＤ“０００２”、検査ＩＤ“ＭＭ３０”、装置ＩＤ“１”、患者Ｂに対する先発検査で撮影されて得られた医用画像の画像ＩＤ“１、２、…”と関連づけられて記憶された識別情報を“ＡＡ０２”で示す。ここで、“ＡＡ”が後発検査機器５０の識別情報に関連づけられ、“０１”、“０２”が「要後発検査の指示」がされたことの情報、および、その指定の順番に関連づけられる。
【００３９】
（検査データの検索）
後発検査機器５０は、検査データの保管管理装置（ＰＡＣＳ）２０に検査データの検索要求を定期的に行う。検索要求に対し、検査データの保管管理装置２０は、後発検査機器５０の情報を参照して記憶部２１内を検索し、検索結果として、識別情報“ＡＡ０１”、“ＡＡ０２”を後発検査機器５０に送信する。
【００４０】
操作者（医師、または、後発検査機器５０の技師）による、例えば、識別情報“ＡＡ０１”を検索キーとした後発検査機器５０からの検索要求を受けて、検査データの保管管理装置２０は、患者Ａに対する先発検査で撮影されて得られた医用画像の画像ＩＤ“１、２、…”を抽出し、後発検査機器５０に送信する。さらに、操作者による操作を受けて、後発検査機器５０は、抽出された画像ＩＤに対応づけられた参照画像（検査データ）を記憶部２１から読み出す（図３に示す「要精検データ検索要求」「要精検データ検索応答」、「要精検データ受信要求」、「要精検データ受信応答」）。
【００４１】
また、操作者による、識別情報“ＡＡ０２”を検索キーとした後発検査機器５０からの検索要求を受けて、検査データの保管管理装置２０は、患者Ｂに対する先発検査で撮影されて得られた医用画像の画像ＩＤ“１、２、…”を抽出し、後発検査機器５０に送信する。さらに、操作者による操作を受けて、後発検査機器５０は、抽出された画像ＩＤに対応づけられた参照画像を記憶部２１から読み出す（図３に示す「要精検データ検索要求」「要精検データ検索応答」、「要精検データ受信要求」、「要精検データ受信応答」）。
【００４２】
以上のように、識別情報を検索キーとして、記憶部２１から参照画像の画像ＩＤを抽出するようにしたので、操作性を向上させることが可能となる。また、予約検査情報の問い合わせ前に、要後発検査の指示を受けて限定された後発検査機器５０が参照画像の検索要求をする。そのため、参照画像の検索要求が集中せず、参照画像の転送が遅滞しない。仮に、要後発検査の指示を受けた後発検査機器５０が多く、参照画像の検索要求が集中したとしても、後発検査開始時までには十分な時間があるので、後発検査の開始を遅らせるおそれがない。
【００４３】
（予約検査情報の作成要求）
管理部２２は、院内情報管理システム等（ＨＩＳ／ＲＩＳ）４０に、記憶部２１に記憶された検査データにおける識別情報（図４に示す“ＡＡ０１”、“ＡＡ０２”）を参照して、患者に対する後発検査に用いられる後発検査機器の予約を示す予約検査情報の作成を要求する（図３に示す「精検フラグ要求」、「精検フラグ応答」）。
【００４４】
（予約検査情報の作成）
院内情報管理システム等４０は検査予約部４１を有する。検査予約部４１は、管理部２２からの作成要求を受けて、予約検査情報を作成する。次に、院内情報管理システム等４０は、予約検査情報を後発検査機器５０に送る。
【００４５】
（予約検査情報有無の問い合わせ）
後発検査機器５０は、院内情報管理システム等４０に予約検査情報があるかどうかを定期的に問い合わせる（図３に示す「予約検査情報要求」、「予約検査情報応答」）。
【００４６】
（後発検査開始〜後発検査終了）
後発検査機器５０は、予約検査情報があることを受けて、後発検査の開始を院内情報管理システム等４０に送信する（図３に示す「検査開始通知、「検査開始応答」）。なお、後発検査の開始前には、参照画像（検査データ）を取得してあるので、後発検査を即座に開始することが可能となる。
【００４７】
後発検査機器５０により撮影されて得られた画像情報が後発検査機器５０から検査データの保管管理装置（ＰＡＣＳ）２０に送られる。その後、後発検査の終了の通知が後発検査機器５０から院内情報管理システム等４０に送られる（図３に示す「検査データ送信要求」、「検査データ送信応答」、「検査終了通知」、「検査終了応答」）。
【００４８】
＜第２実施形態＞
次に、検査データの管理システムの第２実施形態について図５を参照して説明する。図５は、検査データの管理システムのタイミングチャートである。
なお、第２実施形態において、第１実施形態と同じ構成については同一番号を付してその説明を省略し、異なる構成について主に説明する。この第２実施形態においても、「検査データ」は、参照画像を示し、また、参照画像および付帯情報を示す場合がある。また、「参照画像」は、図４に示す画像ＩＤを示す場合がある。
【００４９】
（検査データの検索）
第１実施形態では、後発検査機器５０は、定期的に、検査データの保管管理装置２０に検査データの検索要求をした（図３に示す「要精検データ検索要求」、「要精検データ検索応答」、「要精検データ受信要求」、「要精検データ受信応答」）。検査データの検索が定期的に行われるため、大幅な遅滞なく、後発検査において参照される検査データ（参照画像を含む）が後発検査機器５０に送信されるという利点がある。しかし、後発検査機器５０が検査データの検索要求を定期的にしなければならないという欠点がある。
【００５０】
これに対し、第２実施形態では、図５に示すように、参照画像（検査データ）が識別情報を付されて記憶部２１に記憶された後、検査データの保管管理装置２０は、参照画像（検査データ）を後発検査機器５０に送信する（図５に示す「ＭＭＧ先発検査データ送信」）。それにより、参照画像（検査データ）が大幅に遅滞なく、後発検査機器５０に送信されるという利点がある。その上、後発検査機器５０が検査データの検索要求を定期的にする必要がない。
【００５１】
（予約検査情報の作成要求）
また、第１実施形態では、参照画像（検査データ）が識別情報を付されて記憶部２１に記憶された後に、管理部２２が院内情報管理システム等４０に予約検査情報の作成を要求した（図３に示す「精検フラグ要求」、「精検フラグ応答」）。それにより、院内情報管理システム等４０が予約検査情報を後発検査機器５０に送信することができた。
【００５２】
これに対し、第２実施形態では、院内情報管理システム等４０は、検査データの保管管理装置（ＰＡＣＳ）２０に予約検査情報の作成要求があるかどうかを定期的に問い合わせるように構成される（図５に示す「精検フラグチェック要求」、「精検フラグチェック応答」）。それにより、予約検査情報の作成要求が大幅に遅滞なく、院内情報管理システム等４０に送信される。なお、第２実施形態では、第１実施形態と同様に、参照画像が識別情報を付されて記憶部２１に記憶されたとき、管理部２２が院内情報管理システム等４０に予約検査情報の作成を要求するようにしてもよい。
【００５３】
（予約検査情報有無の問い合わせ）
さらに、第１実施形態では、後発検査機器５０が院内情報管理システム等４０に予約検査情報があるかどうかを定期的に問い合わせた（図３に示す「予約検査情報要求」、「予約検査情報応答」）。
【００５４】
これに対し、第２実施形態では、予約検査情報が作成された後、院内情報管理システム等４０は、後発検査機器５０に予約検査情報を送信する（図５に示す「予約検査情報通知」）。
【００５５】
（検査データの検索時の操作性）
なお、第２実施形態では、図５に示す「ＭＭＧ先発検査データ送信」により、操作者による、例えば、識別情報を検索キーとした後発検査機器５０からの検索要求を受けて、検査データの保管管理装置２０は、先発検査で撮影されて得られた医用画像の画像ＩＤ“１、２、…”を抽出し、後発検査機器５０に送信する。この抽出及び送信は、第１実施形態と同様である。また、このときの操作者は、例えば、医師、または、後発検査機器５０の技師である。さらに、操作者による操作を受けて、後発検査機器５０は、抽出された画像ＩＤに対応づけられた参照画像（検査データ）を記憶部２１から抽出する。簡単な操作により、参照画像の画像ＩＤを抽出し、表示することができるため、後発検査における操作性を向上させることが可能となる。
【００５６】
＜第３実施形態＞
次に、検査データの管理システムの第３実施形態について図６を参照して説明する。図６は、検査データの管理システムのタイミングチャートである。
なお、第３実施形態において、第１実施形態と同じ構成については同一番号を付してその説明を省略し、異なる構成について主に説明する。この第３実施形態においても、「検査データ」は、参照画像を示し、また、参照画像および付帯情報を示す場合がある。また、「参照画像」は、図４に示す画像ＩＤを示す場合がある。
【００５７】
（予約検査情報有無の問い合わせ）
第１実施形態では、後発検査機器５０は、院内情報管理システム等４０に予約検査情報があるかどうかを定期的に問い合わせた（図３に示す「予約検査情報要求」、「予約検査情報応答」）。
【００５８】
これに対し、第３実施形態では、後発検査機器５０は、患者が後発検査機器５０に近づいたかどうかを検出する検知手段５１を有する。検知手段５１の一例としては、検知エリアに入ったことを示す無線タグの情報がリーダにより非接触で読み取られる特開２００８−２９４８６３号公報に記載された手段が用いられる。患者ＩＤが書き込まれた無線タグは、診察券（非接触式ＩＣカード）として患者に所持される。リーダは、待合室の出入口に配置され、後発検査機器５０のコンピュータに接続される。患者が待合室に入ると、リーダにより患者ＩＤが読み取られ、後発検査機器５０のコンピュータに送られる。それにより、患者ＩＤに係る患者が後発検査機器５０に近づいたことが検知される。
【００５９】
患者が後発検査機器５０に近づいたことが検知手段５１により検出されたとき、後発検査機器５０が院内情報管理システム等４０に予約検査情報があるかどうかを問い合わせる（図６に示す「予約検査情報要求」、「予約検査情報応答」）。さらに、後発検査機器５０が検査データ（参照画像を含む）の検索要求を検査データの保管管理装置２０に送信する。それにより、後発検査機器５０が検査データの保管管理装置２０から検査データ（参照図面を含む）を取得するように構成される（図６に示す「要精検データ検索要求」、「要精検データ検索応答」、「要精検データ受信要求」、「要精検データ受信応答」）。
【００６０】
後発検査機器５０から院内情報管理システム等４０に対し、予約検査情報があるかどうかの問い合わせが自動的に行われることにより、予約検査情報があるかどうかの問い合わせを定期的に行う必要がない。
【００６１】
（検査データの検索）
さらに、第１実施形態では、後発検査機器５０は、定期的に検査データの保管管理装置２０に検査データ（参照画像を含む）の検索を要求した（図３に示す「要精検データ検索要求」「要精検データ検索応答」、「要精検データ受信要求」、「要精検データ受信応答」）。
【００６２】
これに対し、第３実施形態では、予約検査情報があるかどうかの問い合わせがされ（図６に示す「予約検査情報要求」、「予約検査情報応答」）、その後であって、後発検査の開始（図６に示す「検査開始通知」）の前に、後発検査機器５０は検査データの保管管理装置２０に検査データ（参照画像を含む）の検索を要求する（図６に示す「要精検データ検索要求」「要精検データ検索応答」、「要精検データ受信要求」、「要精検データ受信応答」）。それにより、検査データの検索要求を定期的にする必要がない。さらに、検査データの検索要求が、予約検査情報があると知らされた後発検査機器５０により限定的に行われるから、参照画像の検索要求が集中せず、参照画像の取得の遅滞を防止することが可能となる。
【００６３】
なお、第３実施形態では、図６に示す「要精検データ検索要求」「要精検データ検索応答」、「要精検データ受信要求」、「要精検データ受信応答」により、第１実施形態と同様に、操作者（医師、または、後発検査機器５０の技師）による、例えば、識別情報を検索キーとした後発検査機器５０からの検索要求を受けて、検査データの保管管理装置２０が、先発検査で撮影されて得られた医用画像の画像ＩＤ“１、２、…”を抽出し、後発検査機器５０に送信する。さらに、操作者による操作を受けて、後発検査機器５０は、抽出された画像ＩＤに対応づけられた参照画像を記憶部２１から抽出する。簡単な操作により、参照画像の画像ＩＤを抽出し、表示することができるため、後発検査における操作性を向上させることが可能となる。
【００６４】
（変形例）
前記実施形態では、参照画像と後発検査機器５０の識別情報とを関連づけるため、管理部２２が関連情報としての識別情報、例えば、“ＡＡ０１”を参照画像の画像ＩＤに付して記憶部２１に記憶させた。そして、後発検査機器５０は、識別情報“ＡＡ０１”を検索キーとして、画像ＩＤを抽出した。
【００６５】
これに対し、管理部２２が参照画像と後発検査機器５０の識別情報とをリスト構造したものを関連情報として記憶部２１に記憶させてもよい。図７は参照画像のリスト構造を示す図である。
【００６６】
図７に示すように、リスト構造には、参照画像のアドレス情報と、後発検査機器５０の識別情報（ここでは、装置ＩＤ）とが対応づけられ、記憶部２１に記憶される。
後発検査機器５０が検査データの保管管理装置２０に定期的な検索要求をすると、検査データの保管管理装置２０は、装置ＩＤ（例えば、“１”）を参照して、リスト構造を検索し、装置ＩＤに係る参照画像を後発検査機器５０に送信する。それにより、簡単な操作で、参照画像を取得することが可能となる。
【００６７】
さらに、関連情報として、例えば、参照画像の画像ＩＤにフラグを付して記憶部２１に記憶させてもよい。
【００６８】
図８は、検査データのデータ構造を示す図である。図８に、複数の個所に立つフラグ“１”を示す。後発検査機器５０が装置ＩＤ（例えば、“１”）を検索キーとした検査データの保管管理装置２０に定期的な検索要求をすると、検査データの保管管理装置２０は、装置ＩＤおよびフラグ“１”を参照して、記憶部２１に記憶された検査データを検索し、複数の患者に係る画像ＩＤを抽出し、後発検査機器５０に送信する。それにより、後発検査機器５０の表示部（図示しない）に複数の患者に係る画像ＩＤが表示される。後発検査機器５０の入力部（図示しない）の操作により、表示された画像ＩＤの中から患者ＩＤ（例えば、“０００１”）が選択されると、その選択を受けて、検査データの保管管理装置２０が選択された患者ＩＤに係る参照画像を抽出し、後発検査機器５０に送信する。それにより、簡単な操作で、参照画像を取得することが可能となる。
【００６９】
前記実施形態では、後発検査機器５０が検査データの保管管理装置２０に検査データの検索を要求すると、管理部２２が記憶部２１に記憶された検査データの中から参照画像を抽出し、抽出された参照画像を送信するものを示した。これに対し、本実施形態では、管理部２２が、記憶部の管理テーブルおよび判定部を有する。管理テーブルは、すべての稼動中のプロセスによって使用される総メモリ量を計算することにより、記憶部２１の使用状況を示す使用状況情報を管理する。判定部は、管理テーブルに管理された使用状況情報に基づいて、記憶部２１が利用可能なメモリ（ＲＡＭ）の容量を超えるかどうかを判断する。判定部により利用可能なメモリの容量を超えておらず、記憶部２１が使用可能であると判断されたとき、管理部２２が検査データの検査を実行するように構成される。
【００７０】
本発明のいくつかの実施形態を説明したが、これら実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７１】
１０  先発検査機器
２０  検査データの保管管理装置（ＰＡＣＳ）
２１  記憶部
２２  管理部
３０  読影装置
４０  院内情報管理システム等（ＨＩＳ／ＲＩＳ）
４１  検査予約部
５０  後発検査機器
５１  検知手段
【図１】
2015170074.tif 000003
【図２】
2015170074.tif 000004
【図３】
2015170074.tif 000005
【図４】
2015170074.tif 000006
【図５】
2015170074.tif 000007
【図６】
2015170074.tif 000008
【図７】
2015170074.tif 000009
【図８】
2015170074.tif 000010